(57)【要約】【課題】複数の画像を同時に記録する際にも、画像の劣化がない安価な記録再生装置を提供する。【解決手段】フレームシンクロナイザ１で同期化した複数の映像信号を合成回路２で一つの合成映像信号に合成し、ＭＰＥＧエンコーダ３でエンコードした後、フォーマット回路４で合成映像信号である旨のフォーマットをして記録メディア５に記録する。合成回路２で合成する際に、合成対象とする複数の映像信号の合計画像サイズ以上に大きい画像サイズで合成する。再生する場合、フォーマット復号回路６で記録メディア５のフォーマットを復号し、合成映像信号が読み出されたか判定し、ＭＰＥＧデコーダ回路でデコードした合成映像信号の中から任意に指定された映像信号を分離回路８で分離して出力する。分離回路８で分離する映像信号の画像サイズは、合成回路２で合成した際の当該映像信号の画像サイズと同一サイズとする。【選択図】図１
2005311636.tif 000002
【特許請求の範囲】
【請求項１】
映像信号を符号化して記録メディアに記録し再生する記録再生装置において、複数の映像信号を同期化するフレームシンクロナイズ手段と、合成対象とされる同期化した複数の映像信号を一つの合成映像信号に合成する合成手段と、一つに合成した合成映像信号を符号化するエンコード手段と、記録メディアのフォーマットを行って符号化した合成映像信号を記録するフォーマット手段と、を備えていることを特徴とする記録再生装置。
【請求項２】
請求項１に記載の記録再生装置において、記録メディアのフォーマットを復号し、記録メディアから読み出された符号化映像信号が合成映像信号か否かを判定するフォーマット復号手段と、読み出された符号化映像信号をデコードするデコード手段と、デコードされた映像信号が、複数の映像信号からなる合成映像信号であった場合、該合成映像信号の中から任意に指定された映像信号を分離して出力する分離手段と、を備えていることを特徴とする記録再生装置。
【請求項３】
請求項１又は２に記載の記録再生装置において、前記合成手段が合成する合成映像信号の画像サイズが、合成対象とされる同期化した複数の前記映像信号の各画像サイズの合計以上に大きい画像サイズからなっていることを特徴とする記録再生装置。
【請求項４】
請求項３に記載の記録再生装置において、前記分離手段が合成映像信号から分離する映像信号の画像サイズが、前記合成手段において合成された際の当該映像信号の画像サイズと同一サイズからなっていることを特徴とする記録再生装置。
【請求項５】
請求項１乃至４に記載の記録再生装置において、前記エンコード手段における映像信号の符号化方式としてＭＰＥＧ２を適用することを特徴とする記録再生装置。
【請求項６】
請求項１乃至５に記載の記録再生装置において、前記記録メディアが光ディスクであることを特徴とする記録再生装置。
【発明の詳細な説明】
【技術分野】
【０００１】
本発明は、記録再生装置に関し、特に、光ディスクを記録メディアとする記録再生装置において、同時に複数の映像を記録し再生する技術に関する。
【背景技術】
【０００２】
光ディスクを用いた記録再生装置（例えばＤＶＤレコーダ）で、複数の映像信号を同時に記録するためには、複数のＭＰＥＧエンコーダを使用する方法や、特許文献１に示す特開２００３−１０２００９号公報「多重チャンネル映像信号符号化装置及びその方法」に記載の水平方向及び垂直方向に複数の映像信号をそれぞれ圧縮して一つの映像信号として出力する技術が知られている。
【特許文献１】特開２００３−１０２００９号公報
【発明の開示】
【発明が解決しようとする課題】
【０００３】
しかしながら、従来の方法のように、複数のＭＰＥＧエンコーダを使用する方法は、システムが複雑になり、民生用ＡＶ機器としてはコスト的な課題が残る。
また、前記特許文献１のように、単に、水平方向の圧縮合成と垂直方向の圧縮合成とを用いる方法では、画像解像度の劣化が課題となる。
本発明は、かかる課題を解決するためになされたものであり、複数の画像を同時に記録する際に、画像の劣化がなく、かつ、コスト的にも安価な記録再生装置を提供することを目的としている。
【課題を解決するための手段】
【０００４】
第１の技術手段は、映像信号を符号化して記録メディアに記録し再生する記録再生装置において、複数の映像信号を同期化するフレームシンクロナイズ手段と、合成対象とされる同期化した複数の映像信号を一つの合成映像信号に合成する合成手段と、一つに合成した合成映像信号を符号化するエンコード手段と、記録メディアのフォーマットを行って符号化した合成映像信号を記録するフォーマット手段と、を備えていることを特徴とする。
【０００５】
第２の技術手段は、前記第１の技術手段に記載の記録再生装置において、記録メディアのフォーマットを復号し、記録メディアから読み出された符号化映像信号が合成映像信号か否かを判定するフォーマット復号手段と、読み出された符号化映像信号をデコードするデコード手段と、デコードされた映像信号が、複数の映像信号からなる合成映像信号であった場合、該合成映像信号の中から任意に指定された映像信号を分離して出力する分離手段と、を備えていることを特徴とする。
【０００６】
第３の技術手段は、前記第１又は第２の技術手段に記載の記録再生装置において、前記合成手段が合成する合成映像信号の画像サイズが、合成対象とされる同期化した複数の前記映像信号の各画像サイズの合計以上に大きい画像サイズからなっていることを特徴とする。
【０００７】
第４の技術手段は、前記第３の技術手段に記載の記録再生装置において、前記分離手段が合成映像信号から分離する映像信号の画像サイズが、前記合成手段において合成された際の映像信号の画像サイズと同じ画像サイズからなっていることを特徴とする。
【０００８】
第５の技術手段は、前記第１乃至第４の技術手段に記載の記録再生装置において、前記エンコード手段における映像信号の符号化方式としてＭＰＥＧ２を適用することを特徴とする。
【０００９】
第６の技術手段は、前記第１乃至第５の技術手段に記載の記録再生装置において、前記記録メディアが光ディスクであることを特徴とする。
【発明の効果】
【００１０】
前述のごとき技術手段からなる本発明によれば、複雑で高価な回路構成を必要とせず、リアルタイムに複数の映像信号を同時に記録メディアに記録し再生することが可能である。
また、複数の映像信号を一つの合成映像信号に合成したり、合成映像信号から任意の映像信号を分離したりする際に、圧縮や伸長による画像解像度の劣化が伴うことがなく、良好な画質の映像信号の記録・再生が可能である。
【発明を実施するための最良の形態】
【００１１】
本発明に係る記録再生装置においては、記録メディアとして例えばＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光ディスクを用いた記録再生装置からなり、複数の映像信号を合成して一つの合成映像信号として記録するために各映像信号のフレーム周波数の同期化を行なうフレームシンクロナイザを備え、同期化した複数の映像信号（各映像信号は、例えばＭＰＥＧ−２のＭＰ＠ＭＬ（メインプロファイル・メインレベル：７２０×４８０ドット）の画像サイズ。以下、ＭＰ＠ＭＬと略す）を合成し、例えばＭＰＥＧ２のＭＰ＠Ｈ１４４０（メインプロファイル・ハイ−１４４０レベル：１４４０×１０８０ドット。以下、ＭＰ＠Ｈ１４４０と略す）以上の画像サイズの一つの合成映像信号として扱う、合成回路を備える記録系回路と、ＭＰ＠Ｈ１４４０以上の画像サイズに合成された一つの再生合成映像信号から、それぞれＭＰ＠ＭＬの画像サイズからなる複数の映像信号に分離する分離回路を備える再生系回路を備えた記録再生装置を構成することを特徴としている。
【００１２】
以下、本発明に係る記録再生装置に一実施形態について図面を参照しながら説明する。図１は、本発明に係る記録再生装置の全体構成の一例を示すブロック構成図である。
まず、映像信号のフレーム周波数は、通常、各映像ソース１０１，１０２，…毎に、僅かに異なっている。従って、映像ソース１０１，１０２，…それぞれから入力される複数の映像信号を１つの映像信号に合成するために、本発明に係る記録再生装置１０には、フレームシンクロナイザ１が備えられている。
【００１３】
ソース１０１，１０２，…それぞれからの映像信号は、フレームシンクロナイザ１に入力されて、各映像信号のフレーム周波数の同期化処理がなされる。
ここで、入力されてくる各映像信号が、例えば、ＮＴＳＣ方式に準拠した映像信号であり、ＭＰＥＧ２のＭＰ＠ＭＬの映像であるとすると、前述のごとく、水平方向に７２０ピクセル、垂直方向に４８０ピクセルの７２０×４８０ピクセルの画像サイズである。
【００１４】
次に、同期化された各映像信号は、合成回路２において、一つの合成映像信号として合成される。
ＭＰ＠ＭＬサイズの２つの映像信号がフレームシンクロナイザ１にて同期化されて、合成回路２に入力されてくると、ＮＴＳＣ方式の信号であれば、前述のように、それぞれの映像信号は７２０×４８０ピクセルの画像サイズからなっている。ここで、合成回路２においては、入力されてくる複数の映像信号を同時に記録することを可能とし、かつ、それぞれの映像信号に画質の劣化を生じさせない形で複数の映像信号を一つの合成映像信号に合成するように構成するために、入力されてくる複数の映像信号それぞれに対して何ら圧縮処理を施すことなく、入力された全ての映像信号の合計画像サイズ以上に大きい画像サイズからなる一つの合成映像信号として合成するようにしている。
【００１５】
ＮＴＳＣ方式に準拠した映像信号のＭＰＥＧ２の場合、ＭＰ＠Ｈ１４４０であれば、１４４０×１０８０ピクセルの画像サイズであり、ＭＰ＠ＨＬ（メインプロファイル・ハイレベル）であれば、１９２０×１０８０ピクセルの画像サイズである。従って、合成回路２においては、ＭＰ＠Ｈ１４４０サイズあるいはＭＰ＠ＨＬサイズの画像サイズを用いて、同期化されて入力されてくるＭＰ＠ＭＬサイズの複数の映像信号を一つの合成映像信号に合成することとしている。このため、合成回路２には、最大ＭＰ×ＨＬの画像サイズを扱うことが可能な大きさのフレームバッファメモリ（画像合成用メモリ）を備えている。
【００１６】
即ち、合成回路２は、例えば、図２の模式図に示すように、２つの映像信号Ａ，Ｂ  １１１，１１２が入力されてきた場合、列方向に、映像信号Ａ，Ｂ  １１１，１１２を合成して、１４４０×１０８０ピクセルの画像サイズに合成された一つの合成映像信号１２０として出力する。ここに、図２は、本発明に係る記録再生装置１０における画像合成方法の一例を示す模式図であり、図２（Ａ）が、同期化されて入力されたＭＰ＠ＭＬサイズの２つの映像信号Ａ，Ｂ  １１１，１１２を示し、図２（Ｂ）が、ＭＰ＠Ｈ１４４０サイズの一つの合成映像信号１２０に合成した様子を示している。かくのごとく、合成回路２が合成する合成映像信号の画像サイズは、合成対象とされる同期化した複数の映像信号例えば映像信号Ａ，Ｂ  １１１，１１２の各画像サイズの合計以上に大きい画像サイズからなっている。
【００１７】
一つの信号に合成された合成映像信号１２０は、ＭＰＥＧエンコーダ３においてエンコードされて、ＭＰＥＧ２ストリームに変換される。変換されたＭＰＥＧ２ストリームは、当該記録再生装置１０の記録メディア５に記録する際に、合成映像信号１２０を記録することを示すように、記録メディア５がフォーマット回路４においてフォーマット化された後、例えばＤＶＤなどの光ディスクからなる記録メディア５に記録される。
即ち、フォーマット回路４におけるフォーマット化の際には、前述のように、記録メディア５に記録される映像信号が合成された合成映像信号であるということを示す情報を、情報格納エリア（例えば、記録メディア５としてＤＶＤを用いる場合、ＤＶＤのＶＯＢ（Ｖｉｄｅｏ  Ｏｂｊｅｃｔ）情報領域等）に記録しておく。即ち、フォーマット回路４は、記録メディア５のフォーマットを行って、合成映像信号であることを示す情報と共に、符号化した映像信号即ち合成映像信号を記録する手段を提供している。
【００１８】
このようにして、記録メディア５に一つの合成映像信号として記録された複数の映像信号は、再生系回路においては、当然のことながら、一つの映像信号として記録メディア５から読み出される。読み出された映像信号は、フォーマット復号回路６において復号化され、記録メディア５に記録されていた映像信号が複数の映像信号が合成された合成映像信号であるという情報を得る。即ち、フォーマット復号回路６は、記録メディア５のフォーマットを復号し、記録メディア５から読み出された符号化映像信号が合成映像信号か否かを判定するものである。
【００１９】
しかる後、該フォーマット復号回路６の出力即ち記録メディア５から読み出された符号化映像信号は、ＭＰＥＧデコーダ７に入力されて、ＭＰＥＧデコーダ７において、例えば１４４０×１０８０ピクセルの画像サイズに合成された一つの合成映像信号としてデコードされる。
【００２０】
デコードされた映像信号が、かくのごとき複数の映像信号からなる合成映像信号であった場合、デコードされた一つの合成映像信号は、合成映像信号である旨の情報と共に、分離回路８に入力される。ここで、入力されてくる合成映像信号をバッファリングするための分離回路８のフレームバッファメモリ（画像分離用メモリ）は、最大ＭＰ×ＨＬの画像サイズを扱うことが可能な大きさからなっており、記録系と再生系とが同時に動作しない場合であれば、記録系回路における合成回路２のフレームバッファメモリと共用するように構成することも可能である。
【００２１】
分離回路８においては、例えば、図３の模式図に示すように、一つの合成映像信号１２０ａの列方向に合成されている映像信号Ａ，Ｂ  １１１ａ，１１２ａから、任意に指定された映像信号として例えば映像信号Ａ  １１１ａを分離して、映像シンク２００に対して出力する場合においては、復号された１４４０×１０８０ピクセルの合成映像信号１２０ａのうち、映像信号Ａ  １１１ａの７２０×４８０ピクセルのみを分離して出力する。ここに、図３は、本発明に係る記録再生装置１０における画像分離方法の一例を示す模式図であり、図３（Ａ）が、映像信号Ａ，Ｂ  １１１ａ，１１２ａが一つに合成されているＭＰ＠Ｈ１４４０サイズの一つの合成映像信号１２０ａを示し、図３（Ｂ）が、合成映像信号１２０ａの中から任意に指定されたＭＰ＠ＭＬサイズの映像信号Ａ  １１１ａを分離した様子を示している。かくのごとく、分離回路８が合成映像信号１２０ａから分離する映像信号Ａ  １１１ａの画像サイズは、合成回路２において合成された際の当該映像信号Ａ  １１１の画像サイズと同一サイズからなっている。
【００２２】
以上のように、ＭＰ＠ＭＬサイズの複数の映像信号を、ＭＰ＠Ｈ１４４０以上の画像サイズの一つの合成映像信号として記録再生するように扱うことにより、画像解像度の劣化を伴うこともなく、また、高価な特殊な回路を備える必要もない経済的な記録再生装置を提供することができる。ここで、合成映像信号として、例えば、ＭＰ＠Ｈ１４４０の画像サイズを適用することとすれば、ＭＰ＠ＭＬサイズの映像信号を、最大４個まで画像解像度の劣化を生じることなく、記録メディア５に同時に記録し、再生することが可能である。
【図面の簡単な説明】
【００２３】
【図１】本発明に係る記録再生装置の全体構成の一例を示すブロック構成図である。
【図２】本発明に係る記録再生装置における画像合成方法の一例を示す模式図である。
【図３】本発明に係る記録再生装置における画像分離方法の一例を示す模式図である。
【符号の説明】
【００２４】
１…フレームシンクロナイザ、２…合成回路、３…ＭＰＥＧエンコーダ、４…フォーマット回路、５…記録メディア（光ディスク）、６…フォーマット復号回路、７…ＭＰＥＧデコーダ、８…分離回路、１０…記録再生装置、１０１，１０２…映像ソース、１１１，１１１ａ…映像信号Ａ、１１２，１１２ａ…映像信号Ｂ、１２０，１２０ａ…合成映像信号、２００…映像シンク。
【図１】
2005311636.tif 000003
【図２】
2005311636.tif 000004
【図３】
2005311636.tif 000005